(57)【要約】【課題】  外観に締結部を露出することなく意匠性に優れたリモートコントローラの筺体を提供する。【解決手段】  操作ボタンを有する第１部材（１）と、この第１部材（１）と嵌合する第２部材（２）によって形成されるリモートコントローラの筺体であって、上記第１部材（１）には少なくとも１つの第１係止部（Ａ）が設けられており、上記第２部材（Ｂ）には少なくとも１つの第２係止部（Ｂ）が設けられており、上記第１係止部（Ａ）と第２係止部（Ｂ）がすべり合わされて係合されることで上記第１部材（Ａ）と上記第２部材（Ｂ）が接合されて、外観に接合部分を露出することなく一体的に形成されるリモートコントローラの筺体による。【選択図】図３
2010028333.tif 000002
【特許請求の範囲】
【請求項１】
操作ボタンを有する第１部材と、この第１部材と嵌合する第２部材によって形成されるリモートコントローラの筺体であって、
上記第１部材には少なくとも１つの第１係止部が設けられており、
上記第２部材には少なくとも１つの第２係止部が設けられており、
上記第１係止部と第２係止部がすべり合わされて係合されることで上記第１部材と上記第２部材が接合され、一体的に形成されるリモートコントローラの筺体。
【請求項２】
上記第１係止部は、上記第１部材の周囲から内側に向けて突出した平板形状部であって、上記第２係止部は、上記第２部材の内側から外側に向けた平板が所定の高さで設けられた略Ｌ字形状部である請求項１に記載のリモートコントローラの筺体。
【請求項３】
上記第１係止部と上記第２係止部において、すべり合わされるときに互いに突合する部分を傾斜形状とする請求項１、２に記載のリモートコントローラの筺体。
【請求項４】
上記第１部材と上記第２部材には、上記第１係止部と第２係止部が係合されて接合されたときに互いに連通する締結孔をそれぞれ有する請求項１乃至３のいずれかに記載のリモートコントローラの筺体。
【請求項５】
上記第２部材は弾性の低い素材で形成されている請求項１乃至４のいずれかに記載のリモートコントローラの筺体。
【発明の詳細な説明】
【技術分野】
【０００１】
本発明は、外観に締結部を露出することなく意匠性に優れたリモートコントローラの筺体に関するものである。
【背景技術】
【０００２】
リモートコントローラの筺体は、ネジなどの締結部を外観に表すことなく一体形成できる方が意匠性の観点から望ましい。従来のリモートコントローラの筺体の例を図５乃至７に示す。以下の説明において、操作ボタンなどを有する側の筺体を「上側筺体」とし、背面側に位置する筺体を「下側筺体」とする。図５は、リモートコントローラ筺体２０を形成する上側筺体４と下側筺体５を分離した状態を上下反転して示す分解斜視図である。図６は、筺体２０の遠隔操作信号送出部側（前方側）からみた正面図である。図６（ａ）に示すように分離している上側筺体４と下側筺体５を、図６（ｂ）に示すごとく、上下方向に重ね合わせて押圧し、互いを嵌合することで筺体２０を一体的に形成することができる。
【０００３】
ここで、上記上側筺体４と下側筺体５の嵌合部分について説明をする。図６（ｂ）において○で囲んだ部分Ｘの拡大図を図７に示す。図７（ａ）に示すように上側筺体４の周囲面には筐体２０の長さ方向に溝Ｅが設けられており、下側筺体５の周囲面には筐体２０の長さ方向に爪Ｅが設けられている。図７（ｂ）に示すように上側筺体４に下側筺体５を合わせて上下方向から押圧力を加えると、下側筐体５の弾性力により爪Ｅが外側に膨らみ、溝Fを有する上側筺体の周囲面は内側に撓むようになる。さらに上下方向に押圧力を加えると図７（ｃ）に示すように、爪Ｅが溝Ｆに嵌合するので、筺体２０が一体に形成される。このように、筺体２０を形成する過程において上側筺体４と下側筺体５のそれぞれにおいて一定の弾力性が求められるので、これらの素材はプラスチックなどに限られる。
【０００４】
上記のとおり、プラスチックなどの素材を用いた上側筺体４と下側筺体５を用いることで、締結部分を外観に表すことなく筺体２０を形成することができるが、強度は低く、落下などによって衝撃が嵌合部分に加わると嵌合していた筺体が外れるなどして破損しやすい。
【０００５】
そこで、上記の欠点を解消するために、筺体の嵌合部分を着脱可能に形成し、嵌合部分が破損しても交換して修復することができる筺体構造が知られている（特許文献１を参照）。
【０００６】
【特許文献１】特開２００３−２７３５３１号公報
【発明の開示】
【発明が解決しようとする課題】
【０００７】
上記特許文献１に示されている筺体構造は、筐体を形成する第１のケース部材と第２のケース部材を、これらのケース部材とは別個の嵌合用部品の介在のもとに嵌合するように構成されているために、部品点数が増え構造も複雑となる。また、部材を嵌合するために弾力性を有する素材を用いることが必要であって、多様な素材を選択することにより設計の自由度が制限され、意匠性を高めることもできなかった。
【０００８】
そこで本発明は、簡易な構造あって、部品点数が少なく、外観に締結部分を露出することなく意匠性に優れたリモートコントローラを得ることを目的とする。
【課題を解決するための手段】
【０００９】
本発明は、操作ボタンを有する第１部材と、この第１部材と嵌合する第２部材によって形成されるリモートコントローラの筺体であって、上記第１部材には少なくとも１つの第１係止部が設けられており、上記第２部材には少なくとも１つの第２係止部が設けられており、上記第１係止部と第２係止部がすべり合わされて係合されることで上記第１部材と上記第２部材が接合されて、外観に接合部分を露出することなく一体的に形成されることを主な特徴としている。
【００１０】
上記のリモートコントローラの筺体において、上記第１係止部は、上記第１部材の周囲から内側に向けて突出した平板形状部であって、上記第２係止部は、上記第２部材の内側から外側に向けた平板が所定の高さで設けられた略Ｌ字形状部であってもよい。
【００１１】
また、上記リモートコントローラの筺体は、上記第１係止部と上記第２係止部において、すべり合わされるときに互いに突合する部分を傾斜形状としてもよい。
【００１２】
また、上記リモートコントローラの筺体の上記第１部材と上記第２部材は、これら第１係止部と第２係止部が嵌合されて接合されたときに、互いに貫通する締結孔をそれぞれ有していてもよい。
【００１３】
また、上記リモートコントローラの筺体は、上記第２部材が弾性の低い素材で形成されていてもよい。
【発明の効果】
【００１４】
本発明によれば、外観に締結部分を露出することなく、また、嵌合部材を別途設ける必要もなく、簡易な組み立て構造を持つリモートコントローラの筺体を得ることができる。また、弾性の低い素材を第２部材に用いることができるので、筺体素材に金属を用いることで強固かつ意匠性が優れたリモートコントローラの筺体を得ることができる。
【発明を実施するための最良の形態】
【００１５】
以下、本発明にかかるリモートコントローラの筺体の実施例について図面を参照しながら説明する。図１は、本実施例に係るリモートコントローラ筺体１０の分解斜視図である。図１において、リモートコントローラ１０の上側筺体１の長さ方向内面の両側には、周囲から内側に向かう平板形状部である第１係止部Ａが対をなして複数個設けられている。また、上側筺体１の長さ方向端部付近の垂直方向の壁には、締結孔である孔Ｃ１が上側筐体１の長さ方向に向けて設けられている。この孔Ｃ１には、上側筺体１と下側筺体２が嵌合されたときに、下側筺体２に設けられている孔Ｃ２（図２を参照）と連通し、これらの孔Ｃ１、Ｃ２を貫通して締結具Ｄを挿入することができるようになっている。締結具Ｄは、例えば、孔Ｃ１を貫通し、孔Ｃ２にねじ込まれるねじで構成することができる。締結具Ｄによって上側筺体１と下側筺体２を固定した後に、長さ方向一端部の上側筺体１と下側筺体２との間に電池ケース３を挿入し、その弾性力を利用して嵌め込むことにより、当該リモートコントローラ筺体１０を一体の部材として形成することができる。上側筺体１は、リモートコントローラ筺体１０を構成する第１部材であって、この上側筺体１は、操作対象を操作するための各種操作ボタンを有している。上側筺体１と下側筺体２とでリモートコントローラ筺体１０を形成している。
【００１６】
図２は、本実施例に係るリモートコントローラ筺体１０の上側筺体１側からみた分解斜視図である。図２において、下側筺体２の長さ方向の両側縁部には、内側から外側に向けた平板状の部材が所定の高さで一体に形成され、この平板状の部材は、外観が略Ｌ字形状を有する第２係止部Ｂとなっている。この第２係止部Ｂは下側筐体２の長さ方向両側に対をなして複数設けられている。また、下側筺体２の長さ方向端部付近には、締結孔である孔Ｃ２が設けられている。この孔Ｃ２は上記のとおり、上側筺体１の孔Ｃ１と連通する位置に設けられている。
【００１７】
次に、上側筺体１と下側筺体２を嵌合する方法について、図３を用いて説明する。図３は、上側筺体１と下側筺体２を側面方向から見た断面図である。まず、第１係止部Ａと第２係止部Ｂをずらした状態で互いの接合面Ｇを合わせて、その後、長さ方向にずらして、第１係止部Ａと第２係止部Ｂを嵌合する。より具体的に説明すると、下側筐体２の第２係止部Ｂの下面側に、上側筐体１の第１係止部Ａが潜り込み、第１係止部Ａと第２係止部Ｂが密接した状態で互いに係合する。図３に示すように、この第１係止部Ａと第２係止部Ｂは、互いに突合する部分の前端部分を傾斜形状にしてあるので、製造上の寸法誤差などが生じ、第１係止部と第２系支部が干渉しやすい状況になっても、上記のようにすべり合せるとき、互いが衝突することなく、すべり合わせることができる。
【００１８】
また、上記のとおり第１係止部Ａと第２係止部Ｂは弾性力によって嵌合するものではないので、上記上側筺体１と上記下側筺体２のいずれか、または両方において弾性が低い素材（例えば金属素材）を用いることができる。いずれか一方の筺体に金属のような硬質の素材を用いた場合であっても、係止部に弾性が加わっていないためストレスがなく、落下などの衝撃が加わったときでも、破損しにくい。
【００１９】
上側筺体１と下側筺体２を一体に形成した後に、図４に示すように長さ方向の開放部分から締結具Ｄを孔Ｃ１及びＣ２に挿入して、上側筺体１と下側筺体２を一体に固定し、開放部分に電池ケース３を挿入することで、本発明に係るリモートコントローラの筺体を得ることができる。
【図面の簡単な説明】
【００２０】
【図１】本発明に係るリモートコントローラ筺体の実施例を上下反転して上側から見た分解斜視図である。
【図２】上記実施例を上下反転して下側から見た分解斜視図である。
【図３】上記実施例の分解側面断面図である。
【図４】上記実施例を後方からみた斜視図である。
【図５】従来のリモートコントローラ筺体の分解斜視図である。
【図６】従来のリモートコントローラ筺体を前方方向から見た平面図である。
【図７】従来のリモートコントローラ筺体の嵌合部分の拡大断面図である。
【符号の説明】
【００２１】
１    上側筺体
２    下側筺体
Ａ    第１係止部
Ｂ    第２係止部
【図１】
2010028333.tif 000003
【図２】
2010028333.tif 000004
【図３】
2010028333.tif 000005
【図４】
2010028333.tif 000006
【図５】
2010028333.tif 000007
【図６】
2010028333.tif 000008
【図７】
2010028333.tif 000009